(57)【要約】【課題】月日の経過にかかわらず常に最新の広告をインストール中に表示または再生することのできるソフトウェアのインストールプログラム、インストール方法およびインストールシステム、並びに、記録媒体を提供すること。【解決手段】記録媒体に格納されているインストールプログラムを実行してソフトウェアをインストールすると共に、インストール中に広告データの配信を要求するユーザＰＣと、ユーザＰＣからの配信要求に応じてユーザＰＣ２に広告データを配信する広告配信サーバとを備えて構成されている。ユーザＰＣは、インストール中に広告配信サーバから配信された広告データを処理して広告を表示する。【選択図】    図２
2004185083.tif 000002
【特許請求の範囲】
【請求項１】
ソフトウェアのインストール中に表示または再生する内容のデータを、インストール中にネットワークを介して取得するソフトウェアのインストールプログラムであって、
コンピュータに、
ソフトウェアのインストール中、前記表示または再生する内容のデータを有するサーバ装置に当該データを配信するよう要求する配信要求手順と、
前記配信要求手順による配信要求を行うことによって得られたデータを処理して、当該データが示す内容をインストール中に表示または再生する内容表示再生手順と、
を実行させることを特徴とするソフトウェアのインストールプログラム。
【請求項２】
コンピュータに、
前記ソフトウェアのインストールが終了する際、前記サーバ装置に前記データの配信を終了するよう要求する配信終了要求手順を実行させることを特徴とする請求項１記載のソフトウェアのインストールプログラム。
【請求項３】
前記内容表示再生手順における前記データの処理を、他のソフトウェアの機能を利用して行うことを特徴とする請求項１または２記載のソフトウェアのインストールプログラム。
【請求項４】
前記表示または再生する内容は、前記ソフトウェアの広告に関するものであることを特徴とする請求項１、２または３記載のソフトウェアのインストールプログラム。
【請求項５】
ソフトウェアのインストール中に表示または再生する内容のデータを、インストール中にネットワークを介して取得するソフトウェアのインストール方法であって、
ソフトウェアのインストール中、前記表示または再生する内容のデータを有するサーバ装置に当該データを配信するよう要求する配信要求ステップと、
前記配信要求ステップによる配信要求を行うことによって得られたデータを処理して、当該データが示す内容をインストール中に表示または再生する内容表示再生ステップと、
を有することを特徴とするソフトウェアのインストール方法。
【請求項６】
前記ソフトウェアのインストールが終了する際、前記サーバ装置に前記データの配信を終了するよう要求する配信終了要求ステップを有することを特徴とする請求項５記載のソフトウェアのインストール方法。
【請求項７】
前記内容表示再生ステップにおける前記データの処理を、他のソフトウェアの機能を利用して行うことを特徴とする請求項５または６記載のソフトウェアのインストール方法。
【請求項８】
前記表示または再生する内容は、前記ソフトウェアの広告に関するものであることを特徴とする請求項５、６または７記載のソフトウェアのインストール方法。
【請求項９】
ソフトウェアをインストール可能なコンピュータ端末と、前記ソフトウェアのインストール中に表示または再生する内容のデータを有するサーバ装置とが、互いにネットワークを介して接続されたソフトウェアのインストールシステムであって、
前記コンピュータ端末は、
ソフトウェアのインストール中、インストール中に表示または再生する内容のデータを配信するよう前記サーバ装置に要求し、
前記ネットワークを介して前記サーバ装置から得られたデータを処理して、当該データが示す内容をインストール中に表示または再生し、
前記サーバ装置は、
前記コンピュータ端末から配信要求を受け取ると、前記ネットワークを介して前記データを前記コンピュータ端末に配信することを特徴とするソフトウェアのインストールシステム。
【請求項１０】
前記コンピュータ端末は、
前記ソフトウェアのインストールが終了する際、前記サーバ装置に前記データの配信を終了するよう要求し、
前記サーバ装置は、
前記コンピュータ端末から配信終了要求を受け取ると、前記データの配信を終了することを特徴とする請求項９記載のソフトウェアのインストールシステム。
【請求項１１】
前記コンピュータ端末は、
前記サーバ装置から得られたデータの処理を、予めインストールされた他のソフトウェアの機能を利用して行うことを特徴とする請求項９または１０記載のソフトウェアのインストールシステム。
【請求項１２】
前記表示または再生する内容は、前記ソフトウェアの広告に関するものであることを特徴とする請求項９、１０または１１記載のソフトウェアのインストールシステム。
【請求項１３】
請求項１、２、３または４に記載のソフトウェアのインストールプログラムを記録したコンピュータにより読み取り可能な記録媒体。
【発明の詳細な説明】
【０００１】
【発明の属する技術分野】
本発明は、広告配信サーバから配信された広告を表示しながらインストールを行うソフトウェアのインストールプログラム、インストール方法およびインストールシステム、並びに、記録媒体に関する。
【０００２】
【従来の技術】
近年のソフトウェアの多機能化に伴い、多数のファイルをハードディスクにコピーする等の作業が加わることによって、ソフトウェアによってはインストール処理に多大な時間を要する。特に、複数のソフトウェアを含んだパッケージ製品の場合、インストール時間はさらに長くなる。このため、ユーザを飽きさせないためにも、インストール中のソフトウェアが有する機能や広告等の画像をインストール時に表示するものがある。
【０００３】
通常、ユーザが所望のソフトウェアをインストールするためには、インストールプログラム等の一連のファイル群が格納されたＣＤ−ＲＯＭやＤＶＤ等の記録媒体を利用する他、ネットワークを介してサーバからダウンロードすることによってインストールを実行する方法もある。但し、インストール中に機能や広告等の画像を表示するためには、記録媒体を用いた形態であれば予め画像データが記録媒体に格納されており、ダウンロードによる形態であればインストールプログラム等と共に機能や広告等の画像データもダウンロードする。
【０００４】
【特許文献１】
特開２００１−１９５２４９号公報
【０００５】
【発明が解決しようとする課題】
ここで、インストール中に表示される広告に関して言えば、広告主にとって広告は常に最新の内容が表示される方が好ましい。しかし、記録媒体を用いてインストールする形態にあっては、記録媒体の配布から月日が経過して広告の内容が陳腐化してもそのまま表示されるため、広告効果は低くなってしまうという問題があった。したがって、記録媒体を用いた形態であっても、月日の経過にかかわらず常に最新の広告を表示することのできるシステムが望まれていた。
【０００６】
一方、ネットワークを介してダウンロードする形態にあっては、インストールプログラム等の一連のファイル群と共に機能や広告等の画像データも併せてダウンロードする。したがって、ダウンロード時間短縮のためにも、ダウンロードするデータのサイズは小さい方が望ましい。また、当該形態であっても、ダウンロードから月日が経過して広告の内容が陳腐化してもそのまま表示されるため、記録媒体を用いてインストールする形態と同様の問題があった。したがって、ネットワークを介してダウンロードする形態であっても、月日の経過にかかわらず常に最新の広告を表示することのできるシステムが望まれていた。
【０００７】
本発明は、上記従来の要望に鑑みてなされたものであって、月日の経過にかかわらず常に最新の内容をインストール中に表示または再生することのできるソフトウェアのインストールプログラム、インストール方法およびインストールシステム、並びに、記録媒体を提供することを目的としている。
【０００８】
【課題を解決するための手段】
上記目的を達成するために、本発明に係るソフトウェアのインストールプログラムは、ソフトウェアのインストール中に表示または再生する内容のデータを、インストール中にネットワークを介して取得するソフトウェアのインストールプログラムであって、コンピュータに、ソフトウェアのインストール中、前記表示または再生する内容のデータを有するサーバ装置に当該データを配信するよう要求する配信要求手順と、前記配信要求手順による配信要求を行うことによって得られたデータを処理して、当該データが示す内容をインストール中に表示または再生する内容表示再生手順と、を実行させるものである。したがって、サーバ装置が有するデータが最新の内容のものである場合に限り、月日の経過にかかわらず常に最新の内容をインストール中に表示または再生することができる。
【０００９】
また、本発明に係るソフトウェアのインストールプログラムは、コンピュータに、前記ソフトウェアのインストールが終了する際、前記サーバ装置に前記データの配信を終了するよう要求する配信終了要求手順を実行させることが望ましい。
【００１０】
また、本発明に係るソフトウェアのインストールプログラムは、前記内容表示再生手順における前記データの処理を、他のソフトウェアの機能を利用して行う。したがって、インストールプログラムのデータサイズを小さくすることができる。
【００１１】
また、本発明に係るソフトウェアのインストールプログラムは、前記表示または再生する内容は、前記ソフトウェアの広告に関する。したがって、古いバージョンのソフトウェアをインストールしても、インストール中には最新のバージョンに関する内容の広告が表示または再生されることとなるため、広告効果を高めることができる。
【００１２】
また、本発明に係るソフトウェアのインストール方法は、ソフトウェアのインストール中に表示または再生する内容のデータを、インストール中にネットワークを介して取得するソフトウェアのインストール方法であって、ソフトウェアのインストール中、前記表示または再生する内容のデータを有するサーバ装置に当該データを配信するよう要求する配信要求ステップと、前記配信要求ステップによる配信要求を行うことによって得られたデータを処理して、当該データが示す内容をインストール中に表示または再生する内容表示再生ステップと、を有する。
【００１３】
また、本発明に係るソフトウェアのインストール方法は、前記ソフトウェアのインストールが終了する際、前記サーバ装置に前記データの配信を終了するよう要求する配信終了要求ステップを有する。
【００１４】
また、本発明に係るソフトウェアのインストール方法は、前記内容表示再生ステップにおける前記データの処理を、他のソフトウェアの機能を利用して行う。
【００１５】
また、本発明に係るソフトウェアのインストール方法は、前記表示または再生する内容は、前記ソフトウェアの広告に関する。
【００１６】
また、本発明に係るソフトウェアのインストールシステムは、ソフトウェアをインストール可能なコンピュータ端末と、前記ソフトウェアのインストール中に表示または再生する内容のデータを有するサーバ装置とが、互いにネットワークを介して接続されたソフトウェアのインストールシステムであって、前記コンピュータ端末は、ソフトウェアのインストール中、インストール中に表示または再生する内容のデータを配信するよう前記サーバ装置に要求し、前記ネットワークを介して前記サーバ装置から得られたデータを処理して、当該データが示す内容をインストール中に表示または再生し、前記サーバ装置は、前記コンピュータ端末から配信要求を受け取ると、前記ネットワークを介して前記データを前記コンピュータ端末に配信するものである。
【００１７】
また、本発明に係るソフトウェアのインストールシステムは、前記コンピュータ端末は、前記ソフトウェアのインストールが終了する際、前記サーバ装置に前記データの配信を終了するよう要求し、前記サーバ装置は、前記コンピュータ端末から配信終了要求を受け取ると、前記データの配信を終了する。
【００１８】
また、本発明に係るソフトウェアのインストールシステムは、前記コンピュータ端末は、前記サーバ装置から得られたデータの処理を、予めインストールされた他のソフトウェアの機能を利用して行う。
【００１９】
また、本発明に係るソフトウェアのインストールシステムは、前記表示または再生する内容は、前記ソフトウェアの広告に関する。
【００２０】
さらに、本発明に係る記録媒体は、請求項１、２、３または４に記載のソフトウェアのインストールプログラムを記録したコンピュータにより読み取り可能なものである。
【００２１】
【発明の実施の形態】
以下、本発明に係るソフトウェアのインストールシステムおよびインストール方法の実施の形態について、図面を参照して詳細に説明する。なお、以下に説明する実施の形態では、本発明に係るソフトウェアのインストールシステムおよびインストール方法について詳述するが、本発明に係るインストールプログラムおよび記録媒体については、ソフトウェアのインストールシステムを動作させるためのプログラムおよび記録媒体であることから、その説明は以下の説明に含まれる。
【００２２】
図１は、本発明に係るソフトウェアのインストールシステムの一実施形態を示すブロック図である。同図に示すように、本実施形態のインストールシステムでは、ＣＤ−ＲＯＭやＤＶＤ等の記録媒体１を利用可能な、特許請求の範囲のコンピュータ端末に該当するユーザ側コンピュータ（以下「ユーザＰＣ」という。）２と、サーバ装置に該当する広告配信サーバ３とがネットワーク４を介して接続されている。そして、インストールプログラムやＤＬＬファイル等の一連のファイル群が格納された記録媒体１を用いてユーザＰＣ２にソフトウェアをインストールしている間に、ユーザＰＣ２は広告配信サーバ３から広告データを受け取って広告を表示または再生する。なお、広告配信サーバ３からユーザＰＣ２に送信される広告データは、広告として常に最新の内容のものであることが広告効果といった点で望ましい。
【００２３】
本実施形態の記録媒体１に格納されている一連のファイル群には、インストールプログラムや各種ＤＬＬファイル等の他に、ＵＲＬ情報が含まれている。ＵＲＬ情報とは、広告データの配信元のアドレスを表す情報であって、具体的には、広告配信サーバ３のアドレス並びに当該サーバ中のディレクトリおよびファイルを示すテキストデータである。
【００２４】
また、広告配信サーバ３から送信される広告データとしては、動画ストリーミングデータや画像データ、音声データ、文字データ等、どのようなデータであっても良い。但し、当該データを広告として表示または再生するために必要な処理は、ユーザＰＣ２に予めインストールされているアプリケーション（ソフトウェア）の機能を利用する他、記録媒体１に格納されたインストールプログラムが当該処理に必要な機能を含んでいる場合はインストールプログラムによって実行されても良い。
【００２５】
以下、当該インストールシステムを用いたソフトウェアのインストール方法について、図２を参照して詳細に説明する。図２は、本発明に係るソフトウェアのインストール方法の一実施形態について説明するフローチャートである。
【００２６】
まず、ユーザは、記録媒体１をユーザＰＣ２のＣＤ−ＲＯＭドライブ等に挿入する。すると、自動的にインストールが開始されるか、または、記録媒体１に格納されている実行ファイル（ｓｅｔｕｐ．ｅｘｅ）を実行してインストールを開始する（ステップＳ１）。次に、ユーザＰＣ２は、記録媒体１に格納されているＵＲＬ情報に参照して、広告配信サーバ３に広告データの配信を要求する。すなわち、ユーザＰＣ２は、ネットワーク４を介して広告配信サーバ３に広告配信要求を送信する（ステップＳ２）。
【００２７】
広告配信サーバ３が広告配信要求を受信する（ステップＳ３）と、当該要求に応じた広告データを取得（ステップＳ４）した後、ネットワーク４を介してユーザＰＣ２に広告データを送信する（ステップＳ５）。ユーザＰＣ２が広告データを受信する（ステップＳ６）と、広告データを処理して広告を表示する（ステップＳ７）。ユーザＰＣ２は、ステップＳ１で開始されたインストールが終了するかを監視し（ステップＳ８）、インストールが継続中であれば（ステップＳ８でＮＯ）そのまま広告データを受信し続け、インストールが終了するのであれば（ステップＳ８でＹＥＳ）ステップＳ９に進む。
【００２８】
ステップＳ９では、ユーザＰＣ２は、広告配信サーバ３に広告データの配信を終了するよう要求する。すなわち、ユーザＰＣ２は、ネットワーク４を介して広告配信サーバ３に広告配信終了要求を送信する。そして、ユーザＰＣ２はインストールを終了する（ステップＳ１０）。一方、広告配信サーバ３は、ネットワーク４を介してユーザＰＣ２から送信された広告配信終了要求を受信する（ステップＳ１１）と、当該要求に応じて広告データの送信を終了する（ステップＳ１２）。
【００２９】
以上説明したように、ソフトウェアのインストールシステムおよびインストール方法によれば、広告配信サーバ３が常に最新の広告データを用意している限り、ユーザＰＣ２には最新の広告データが配信されるため、インストール中のユーザＰＣ２には、記録媒体１の配布時期にかかわらず常に最新の広告がインストール中に表示または再生される。したがって、ユーザが最新のバージョンではない古いバージョンのソフトウェアをインストールする場合であっても、インストール中に表示または再生される広告としては最新のバージョンに関する内容の広告が表示または再生されることとなる。結果として、広告効果を高めることができる。
【００３０】
なお、本実施形態では、記録媒体１を用いてインストールを行っているが、ネットワークを介して予めインストールプログラム等をダウンロードしておき、当該インストールプログラム等を用いてインストールを行っても良い。この場合であっても同様の効果を得ることができる。
【００３１】
【発明の効果】
以上説明したように、本発明に係るソフトウェアのインストールプログラム、インストール方法およびインストールシステム、並びに、記録媒体によれば、サーバ装置が有するデータが最新の内容のものである場合に限り、月日の経過にかかわらず常に最新の内容をインストール中に表示または再生することができる。特に、表示または再生する内容がソフトウェアの広告に関するものである場合、古いバージョンのソフトウェアをインストールしても、インストール中には最新のバージョンに関する内容の広告が表示または再生されることとなるため、広告効果を高めることができる。
【図面の簡単な説明】
【図１】本発明に係るソフトウェアのインストールシステムの一実施形態を示すブロック図
【図２】本発明に係るソフトウェアのインストール方法の一実施形態について説明するフローチャートである。
【符号の説明】
１  記録媒体
２  ユーザＰＣ
３  広告配信サーバ
４  ネットワーク
【図１】
2004185083.tif 000003
【図２】
2004185083.tif 000004